(57)【要約】      （修正有）【課題】光路を反射光学部材で折り曲げる構成がとりやすく、広角で変倍比が３．４倍程度の高い光学性能を有する奥行き方向が極めて薄い安価なズームレンズ。【解決手段】正の第１レンズ群Ｇ１と、負の第２レンズ群Ｇ２と、正の第３レンズ群Ｇ３と、正の第４レンズ群Ｇ４と、負の第５レンズ群Ｇ５からなるズームレンズであり、広角端から望遠端への変倍時に、第１レンズ群Ｇ１は像面Ｉに対して略固定であり、少なくとも第２レンズ群Ｇ２と第４レンズ群Ｇ４が移動し、第１レンズ群Ｇ１は光路折り曲げ用の反射光学素子Ｐを含み、反射面よりも物体側は負の屈折力を有し、第５レンズ群Ｇ５の焦点距離に関する条件式（１）を満足する。        １．５＜｜ｆ５／ｆｗ｜＜２．７  ・・・・  （１）ただし、ｆ５は第５レンズ群の焦点距離        ｆｗは広角端での全系の焦点距離【選択図】図１
2008083125.tif 000002
【特許請求の範囲】
【請求項１】
物体側から順に、正のパワーを有する第１レンズ群と、負のパワーを有する第２レンズ群と、正のパワーを有する第３レンズ群と、正のパワーを有する第４レンズ群と、負のパワーを有する第５レンズ群からなるズームレンズにおいて、
広角端から望遠端への変倍時に、前記第１レンズ群は像面に対して固定であり、少なくとも前記第２レンズ群と前記第４レンズ群が移動し、
前記第１レンズ群は光路折り曲げ用の反射光学素子を含み、反射面よりも物体側は負の屈折力を有し、
以下の条件式を満足することを特徴とするズームレンズ。
１．５＜｜ｆ5 ／ｆw ｜＜２．７                                ・・・（１）
ただし、ｆ5 は第５レンズ群の焦点距離、
ｆw は広角端での全系の焦点距離、
である。
【請求項２】
前記第３レンズ群は変倍時固定であることを特徴とする請求項１記載のズームレンズ。
【請求項３】
前記第５レンズ群は少なくとも接合レンズと正レンズを含むことを特徴とする請求項１又は２記載のズームレンズ。
【請求項４】
前記第１レンズ群は、物体側から順に、負レンズ、前記反射光学素子であるプリズムを有することを特徴とする請求項１から３の何れか１項記載のズームレンズ。
【請求項５】
以下の条件式を満足することを特徴とする請求項１から４の何れか１項記載のズームレンズ。
０．８＜｜ｆ2 ／ｆw ｜＜１．５                                ・・・（２）
ただし、ｆ2 は第２レンズ群の焦点距離、
である。
【請求項６】
以下の条件式を満足することを特徴とする請求項１から５の何れか１項記載のズームレンズ。
２．０＜ｆ1 ／ｆw ＜５．０                                    ・・・（３）
ただし、ｆ1 は第１レンズ群の焦点距離、
である。
【請求項７】
以下の条件式を満足することを特徴とする請求項４記載のズームレンズ。
１．０＜｜ｆ1L1 ／ｆw ｜＜３．０                              ・・・（４）
ただし、ｆ1L1 は第１レンズ群の反射面よりも物体側の系の焦点距離、
である。
【請求項８】
前記第１レンズ群の負レンズは非球面を有することを特徴とする請求項４又は７記載のズームレンズ。
【請求項９】
物体側から順に、正のパワーを有する第１レンズ群と、負のパワーを有する第２レンズ群と、正のパワーを有する第３レンズ群と、正のパワーを有する第４レンズ群と、負のパワーを有する第５レンズ群からなるズームレンズと、前記ズームレンズの像側に配置した撮像素子を用いた撮像装置において、
広角端から望遠端への変倍時に、前記第１レンズ群は前記撮像素子に対して固定であり、少なくとも前記第２レンズ群と前記第４レンズ群が移動し、
前記第１レンズ群は光路折り曲げ用の反射光学素子を含み、反射面よりも物体側は負の屈折力を有し、
以下の条件式を満足することを特徴とする撮像装置。
１．５＜｜ｆ5 ／ｆw ｜＜２．７                                ・・・（１）
ただし、ｆ5 は第５レンズ群の焦点距離、
ｆw は広角端での全系の焦点距離、
である。
【請求項１０】
請求項１から８の何れか１項記載のズームレンズと、前記ズームレンズの像側に配置された撮像素子を備えることを特徴とする撮像装置。
【請求項１１】
請求項１０において、前記ズームレンズと前記撮像素子との間にローパスフィルターが配置されていることを特徴とする撮像装置。
【発明の詳細な説明】
【背景技術】
【０００１】
本発明は、ズームレンズ及びそれを用いた撮像装置に関し、特に、光学系の光軸を折り曲げたズームレンズとそれを用いた撮像装置に関するものである。
【技術分野】
【０００２】
近年、銀塩３５ｍｍフィルム（１３５フォーマット）カメラに代わる次世代カメラとしてデジタルカメラ（電子カメラ）が注目されてきている。さらに、それは業務用高機能タイプからポータブルな普及タイプまで幅広い範囲でいくつものカテゴリーを有するようになってきている。
【０００３】
後記する本発明においては、特にポータブルな普及タイプのカテゴリーに注目し、高画質を確保しながら、奥行きが薄く使い勝手の良好な、広角端から望遠端までの広い焦点距離域をカバーする高変倍で安価なビデオカメラ、デジタルカメラを実現する技術を提供することをねらっている。
【０００４】
カメラの奥行き方向を薄くするのに最大のネックとなっているのは、光学系特にズームレンズ系の最も物体側の面から撮像面までの厚みである。最近におけるカメラボディ薄型化技術の主流は、撮影時には光学系がカメラボディ内から突出しているが携帯時には収納するいわゆる沈胴式鏡筒を採用することである。
【０００５】
しかし、沈胴式鏡筒を採用すると、レンズ収納状態から使用状態に立ち上げるための時間が掛かり使い勝手上好ましくない。また、最も物体側のレンズ群を可動とすると、防水・防塵上好ましくない。最近では、沈胴式鏡筒に見られるようなカメラの使用状態への立ち上げ時間（レンズのせり出し時間）がなく、防水・防塵上も好ましく、また、奥行き方向が極めて薄いカメラとするために、光学系の光路（光軸）をミラーやプリズム等の反射光学部材で折り曲げる構成をとるものも出現している。それは、最も物体側のレンズ群を位置固定レンズ群とし、その中にその反射光学部材を設け、以降の光路はカメラボディの縦あるいは横方向に折り曲げ、奥行き方向の寸法を極力薄くしたものである。
【０００６】
加えて、現在のところ本発明が注目するポータブルなカテゴリーのビデオカメラ、デジタルカメラにおいては、広角端での半画角が３０°程度のものが主流であるが、さらに撮影領域を広げた広角のものも期待されている。
【０００７】
折り曲げ光学系を採用したズームレンズで広角なものの例として、特許文献１のものが提案されている。しかしながら、特許文献１のものは半画角が３７°程度と大きいが、変倍比は２．８倍程度である。また、特許文献２のものは、半画角が３７°程度であり、変倍比３．７倍程度であるが、全長が大きい。
【特許文献１】特開２００４−３５４８７１号公報
【特許文献２】特開２００４−３５４８６９号公報
【発明の開示】
【発明が解決しようとする課題】
【０００８】
本発明は従来技術のこのような問題点に鑑みてなされたものであり、その目的は、沈胴式鏡筒に見られるようなカメラの使用状態への立ち上げ時間（レンズのせり出し時間）がなく、防水・防塵上も好ましく、また、奥行き方向が極めて薄いカメラとするために、光学系の光路（光軸）をプリズム等の反射光学部材で折り曲げる構成がとりやすく、かつ、広角で変倍比が３．４倍程度の高い光学性能を有する、奥行き方向が極めて薄い安価なズームレンズを提供することである。
【課題を解決するための手段】
【０００９】
上記目的を達成するために、本発明のズームレンズは、物体側から順に、正のパワーを有する第１レンズ群と、負のパワーを有する第２レンズ群と、正のパワーを有する第３レンズ群と、正のパワーを有する第４レンズ群と、負のパワーを有する第５レンズ群からなるズームレンズにおいて、
広角端から望遠端への変倍時に、前記第１レンズ群は像面に対して固定であり、少なくとも前記第２レンズ群と前記第４レンズ群が移動し、
前記第１レンズ群は光路折り曲げ用の反射光学素子を含み、反射面よりも物体側は負の屈折力を有し、
以下の条件式を満足することを特徴とするものである。
【００１０】
１．５＜｜ｆ5 ／ｆw ｜＜２．７                                ・・・（１）
ただし、ｆ5 は第５レンズ群の焦点距離、
ｆw は広角端での全系の焦点距離、
である。
【００１１】
以下に、本発明において上記構成をとる理由と作用を説明する。
【００１２】
本発明のズームレンズにおいて上記のような構成にすることで、第１レンズ群で光路を折り曲げて奥行き方向の厚さの薄型化を可能とすると共に、第２レンズ群、第４レンズ群を移動させることで、変倍の負担を分担させ高変倍化を可能としている。また、第５レンズ群に負のパワーを持たせ、第５レンズ群で拡大することにより、第１レンズ群から第４レンズ群の焦点距離を短くすることができ、小型化が可能となる。また、画角を広角にしていくとレンズ径が大きくなっていき、さらに歪曲収差が大きくなっていくのだが、第１レンズ群の反射面よりも物体側に負の屈折力を配置することにより、レンズ径が小さくなると共に、第１レンズ群で発生する歪曲収差を第５レンズ群に負パワーを配置することで打ち消すことができる。さらに、第１レンズ群を像面に対して固定することで、カメラの使用状態への立ち上げ時間がなく、防水・防塵上も好ましい構成となっている。
【００１３】
また、条件式（１）は第１レンズ群のパワーを適切に規定するもので、その上限の２．７を越えると、第５レンズ群のパワーが弱くなり、小型化が困難になる。下限の１．５を越えると、像面湾曲の補正が困難になる。
【００１４】
さらに、本発明のような構成のズームレンズにおいて、変倍時第３レンズ群を固定することが望ましい。第３レンズ群を変倍時固定にすることによって、この近傍に開口絞りを設置することが可能になり、レンズ径の小型化が可能となる
また、第５レンズ群は少なくとも接合レンズと正レンズを含むことが望ましい。小型化するために第５レンズ群のパワーを強くすると、ペッツバール和の悪化を招くが、接合レンズと正レンズを配置することにより、像面を良好に保つことができる。
【００１５】
また、第１レンズ群は、物体側から順に、負レンズ、反射光学素子であるプリズムを有することが望ましい。最も物体側に負レンズを配置し、その後に光路を折り曲げることにより、カメラの厚みを薄くすることができる。また、第１レンズ群に負レンズを配置することにより、有効径を小さくできると共に、反射光学素子をプリズムにすることにより、光路長を短く保てるため、第１レンズと開口絞りの間隔を短くできるので、入射瞳を浅くでき、小型化が可能となる。
【００１６】
また、以下の条件式を満たすことが望ましい。
【００１７】
０．８＜｜ｆ2 ／ｆw ｜＜１．５                                ・・・（２）
ただし、ｆ2 は第２レンズ群の焦点距離、
である。
【００１８】
条件式（２）は第２レンズ群のパワーを適切に規定するもので、その下限の０．８を越えて第２レンズ群のパワーが強まると、第２レンズ群の移動量が小さくなり、全長短縮には有利だが、非点収差、歪曲収差が大きく発生して全系の収差補正が困難となる。上限の１．５を越えると、全長を短くすることが困難となる。
【００１９】
また、以下の条件式を満たすことが望ましい。
【００２０】
２．０＜ｆ1 ／ｆw ＜５．０                                    ・・・（３）
ただし、ｆ1 は第１レンズ群の焦点距離、
である。
【００２１】
条件式（３）は第１レンズ群のパワーを適切に規定するもので、その上限の５．０を越えると、入射瞳が深くなり、レンズ径が大きくなってしまう。下限の２．０を越えると、軸外収差や色収差の補正が困難になる。
【００２２】
また、以下の条件式を満たすことが望ましい。
【００２３】
１．０＜｜ｆ1L1 ／ｆw ｜＜３．０                              ・・・（４）
ただし、ｆ1L1 は第１レンズ群の反射面よりも物体側の系の焦点距離、
である。
【００２４】
条件式（４）は第１レンズ群の負レンズのパワーを適切に規定するものである。入射瞳を浅くして光路折り曲げを物理的に可能にするには、第１レンズ群の負レンズのパワーを強くするのがよい。その上限の３．０を越えると、入射瞳は深いままであり、ある程度の画角を確保しようとすると、第１レンズ群を構成する各光学エレメントの径やサイズが肥大化し、光路折り曲げが物理的に成立し難くなる。下限の１．０を越えると、第１レンズ群に後続する変倍のために移動するレンズ群の取り得る倍率がゼロに近くなり、移動量が増大するか変倍比が小さくなる等の問題が生じやすいと同時に、歪曲収差等の軸外収差補正や色収差の補正が困難になる。
【００２５】
また、第１レンズ群の負レンズは、非球面を有することが望ましい。第１レンズ群の負レンズは、広角端時に周辺の光線高さが大きく、軸外収差の発生が大きい。入射瞳を浅くするためにパワーを強くしていくと、収差の発生が非常に大きくなっていくため、非球面を配置することで収差補正することが望ましい。また、この面の曲率を弱くすることができるので、製造誤差による性能劣化が少なくてすむし、奥行き方向の厚さ短縮にも貢献する。
【００２６】
なお、本発明は、以上のようなズームレンズを用いた撮像装置を含むものであり、その場合に、ズームレンズと撮像素子の間にローパスフィルターを配置することが望ましい。
【発明の効果】
【００２７】
以上説明したように、本発明により、沈胴式鏡筒に見られるようなカメラの使用状態への立ち上げ時間（レンズのせり出し時間）がなく、防水・防塵上も好ましく、また、奥行き方向が極めて薄いカメラとするために、光学系の光路（光軸）をプリズムやミラー等の反射光学部材で折り曲げる構成がとりやすく、かつ、広角で変倍比３．４倍程度の高い光学性能を有する、奥行き方向が極めて薄いズームレンズを提供することができる。
【発明を実施するための最良の形態】
【００２８】
以下、本発明のズームレンズの実施例１〜５について説明する。実施例１〜５の無限遠物点合焦時の広角端、中間状態、望遠端での光路展開図をそれぞれ図１〜図５に示す。各図中、第１レンズ群はＧ１、第２レンズ群はＧ２、第３レンズ群はＧ３、開口絞りはＳ、第４レンズ群はＧ４、第５レンズ群はＧ５、光学的ローパスフィルターはＦ、電子撮像素子であるＣＣＤのカバーガラスはＧ、ＣＣＤの像面はＩで示してある。なお、図１〜図５においては、第１レンズ群中Ｇ１中に配置される反射部材としての光路折り曲げ（屈曲）プリズムは、光路を展開した平行平板Ｐとして示してあり、反射面は示していない。なお、近赤外シャープカットコートについては、例えば光学的ローパスフィルターＦに直接コートを施こしてもよく、また、別に赤外カット吸収フィルターを配置してもよく、あるいは、透明平板の入射面に近赤外シャープカットコートしたものを用いてもよい。
【００２９】
実施例１では、図１に示すように、物体側から順に、正のパワーを有し変倍時固定の第１レンズ群Ｇ１、負のパワーを有し変倍時に広角端よりも望遠端で像側にあるように、広角端から望遠端にかけて像側へ移動する第２レンズ群Ｇ２、正のパワーを有し変倍時固定の第３レンズ群Ｇ３、変倍時固定の開口絞りＳ、正のパワーを有し変倍時に広角端よりも望遠端で物体側にあるように、広角端から望遠端にかけて物体側へ移動する第４レンズ群Ｇ４、負のパワーを有し変倍時固定の第５レンズ群Ｇ５の構成とし、光路折り曲げ（屈曲）を第１レンズ群Ｇ１内に配置した第プリズムＰで行うようにしている。
【００３０】
各群の構成は、物体側から順に、第１レンズ群Ｇ１は、物体側に凸面を向けた負メニスカスレンズと、プリズムＰと、両凸正レンズとからなり、第２レンズ群Ｇ２は、物体側に凸面を向けた負メニスカスレンズと、両凹負レンズと両凸正レンズの接合レンズとからなり、第３レンズ群Ｇ３は、両凸正レンズ１枚からなり、第４レンズ群Ｇ４は、両凸正レンズと物体側に凹面を向けた負メニスカスレンズの接合レンズからなり、第５レンズ群Ｇ５は、両凹負レンズと物体側に凸面を向けた正メニスカスレンズの接合レンズと、両凸正レンズとからなる。
【００３１】
非球面は、第１レンズ群Ｇ１の両凸正レンズの両面、第３レンズ群Ｇ３の両凸正レンズの両面、第４レンズ群Ｇ４の接合レンズの最も物体側の面の５面に用いられている。
【００３２】
実施例２では、図２に示すように、物体側から順に、正のパワーを有し変倍時固定の第１レンズ群Ｇ１、負のパワーを有し変倍時に広角端よりも望遠端で像側にあるように、広角端から望遠端にかけて像側へ移動する第２レンズ群Ｇ２、正のパワーを有し変倍時固定の第３レンズ群Ｇ３、変倍時固定の開口絞りＳ、正のパワーを有し変倍時に広角端よりも望遠端で物体側にあるように、広角端から望遠端にかけて物体側へ移動する第４レンズ群Ｇ４、負のパワーを有し変倍時固定の第５レンズ群Ｇ５の構成とし、光路折り曲げ（屈曲）を第１レンズ群Ｇ１内に配置した第プリズムＰで行うようにしている。
【００３３】
各群の構成は、物体側から順に、第１レンズ群Ｇ１は、両凹負レンズと、プリズムＰと、両凸正レンズとからなり、第２レンズ群Ｇ２は、物体側に凸面を向けた負メニスカスレンズと、両凹負レンズと両凸正レンズの接合レンズとからなり、第３レンズ群Ｇ３は、両凸正レンズ１枚からなり、第４レンズ群Ｇ４は、両凸正レンズと物体側に凹面を向けた負メニスカスレンズの接合レンズからなり、第５レンズ群Ｇ５は、両凹負レンズと両凸正レンズの接合レンズと、物体側に凸面を向けた正メニスカスレンズとからなる。
【００３４】
非球面は、第１レンズ群Ｇ１の両凹負レンズの像側の面、両凸正レンズの両面、第３レンズ群Ｇ３の両凸正レンズの両面、第４レンズ群Ｇ４の接合レンズの最も物体側の面の６面に用いられている。
【００３５】
実施例３では、図３に示すように、物体側から順に、正のパワーを有し変倍時固定の第１レンズ群Ｇ１、負のパワーを有し変倍時に広角端よりも望遠端で像側にあるように、広角端から望遠端にかけて像側へ移動する第２レンズ群Ｇ２、正のパワーを有し変倍時固定の第３レンズ群Ｇ３、変倍時固定の開口絞りＳ、正のパワーを有し変倍時に広角端よりも望遠端で物体側にあるように、広角端から望遠端にかけて物体側へ移動する第４レンズ群Ｇ４、負のパワーを有し変倍時固定の第５レンズ群Ｇ５の構成とし、光路折り曲げ（屈曲）を第１レンズ群Ｇ１内に配置した第プリズムＰで行うようにしている。
【００３６】
各群の構成は、物体側から順に、第１レンズ群Ｇ１は、物体側に凸面を向けた負メニスカスレンズと、プリズムＰと、両凸正レンズとからなり、第２レンズ群Ｇ２は、物体側に凸面を向けた負メニスカスレンズと、両凹負レンズと物体側に凸面を向けた正メニスカスレンズの接合レンズとからなり、第３レンズ群Ｇ３は、両凸正レンズ１枚からなり、第４レンズ群Ｇ４は、両凸正レンズと物体側に凹面を向けた負メニスカスレンズの接合レンズからなり、第５レンズ群Ｇ５は、両凹負レンズと物体側に凸面を向けた正メニスカスレンズの接合レンズと、両凸正レンズとからなる。
【００３７】
非球面は、第１レンズ群Ｇ１の両凸正レンズの両面、第３レンズ群Ｇ３の両凸正レンズの両面、第４レンズ群Ｇ４の接合レンズの最も物体側の面の５面に用いられている。
【００３８】
実施例４では、図４に示すように、物体側から順に、正のパワーを有し変倍時固定の第１レンズ群Ｇ１、負のパワーを有し変倍時に広角端よりも望遠端で像側にあるように、広角端から望遠端にかけて像側へ移動する第２レンズ群Ｇ２、正のパワーを有し変倍時固定の第３レンズ群Ｇ３、変倍時固定の開口絞りＳ、正のパワーを有し変倍時に広角端よりも望遠端で物体側にあるように、広角端から望遠端にかけて物体側へ移動する第４レンズ群Ｇ４、負のパワーを有し変倍時固定の第５レンズ群Ｇ５の構成とし、光路折り曲げ（屈曲）を第１レンズ群Ｇ１内に配置した第プリズムＰで行うようにしている。
【００３９】
各群の構成は、物体側から順に、第１レンズ群Ｇ１は、物体側に凸面を向けた負メニスカスレンズと、プリズムＰと、両凸正レンズとからなり、第２レンズ群Ｇ２は、物体側に凸面を向けた負メニスカスレンズと、両凹負レンズと物体側に凸面を向けた正メニスカスレンズの接合レンズとからなり、第３レンズ群Ｇ３は、両凸正レンズ１枚からなり、第４レンズ群Ｇ４は、両凸正レンズと物体側に凹面を向けた負メニスカスレンズの接合レンズからなり、第５レンズ群Ｇ５は、両凹負レンズと物体側に凸面を向けた正メニスカスレンズの接合レンズと、両凸正レンズとからなる。
【００４０】
非球面は、第１レンズ群Ｇ１の両凸正レンズの両面、第３レンズ群Ｇ３の両凸正レンズの両面、第４レンズ群Ｇ４の接合レンズの最も物体側の面の５面に用いられている。
【００４１】
実施例５では、図５に示すように、物体側から順に、正のパワーを有し変倍時固定の第１レンズ群Ｇ１、負のパワーを有し変倍時に広角端よりも望遠端で像側にあるように、広角端から望遠端にかけて像側へ移動する第２レンズ群Ｇ２、正のパワーを有し変倍時固定の第３レンズ群Ｇ３、変倍時固定の開口絞りＳ、正のパワーを有し変倍時に広角端よりも望遠端で物体側にあるように、広角端から望遠端にかけて物体側へ移動する第４レンズ群Ｇ４、負のパワーを有し変倍時固定の第５レンズ群Ｇ５の構成とし、光路折り曲げ（屈曲）を第１レンズ群Ｇ１内に配置した第プリズムＰで行うようにしている。
【００４２】
各群の構成は、物体側から順に、第１レンズ群Ｇ１は、物体側に凸面を向けた負メニスカスレンズ２枚の接合レンズと、プリズムＰと、両凸正レンズとからなり、第２レンズ群Ｇ２は、物体側に凸面を向けた負メニスカスレンズと、両凹負レンズと両凸正レンズの接合レンズとからなり、第３レンズ群Ｇ３は、両凸正レンズ１枚からなり、第４レンズ群Ｇ４は、両凸正レンズと物体側に凹面を向けた負メニスカスレンズの接合レンズからなり、第５レンズ群Ｇ５は、両凹負レンズと物体側に凸面を向けた正メニスカスレンズの接合レンズと、物体側に凸面を向けた正メニスカスレンズとからなる。
【００４３】
非球面は、第１レンズ群Ｇ１の接合レンズの貼り合わせ面、両凸正レンズの両面、第３レンズ群Ｇ３の両凸正レンズの両面、第４レンズ群Ｇ４の接合レンズの最も物体側の面の６面に用いられている。
【００４４】
以下に、上記各実施例の数値データを示すが、記号は上記の外、ｆは全系焦点距離、ＦNOはＦナンバー、２ωは全画角、ＷＥは広角端、ＳＴは中間状態、ＴＥは望遠端、ｒ1 、ｒ2 …は各レンズ面の曲率半径、ｄ1 、ｄ2 …は各レンズ面間の間隔、ｎd1、ｎd2…は各レンズのｄ線の屈折率、νd1、νd2…は各レンズのアッベ数である。なお、非球面形状は、ｘを光の進行方向を正とした光軸とし、ｙを光軸と直交する方向にとると、下記の式にて表される。
【００４５】
ｘ＝（ｙ2 ／ｒ）／［１＋｛１−（Ｋ＋１）（ｙ／ｒ）2 ｝1/2 ］
＋Ａ4 ｙ4 ＋Ａ6 ｙ6 ＋Ａ8 ｙ8 ＋Ａ10ｙ10
ただし、ｒは近軸曲率半径、Ｋは円錐係数、Ａ4 、Ａ6 、Ａ8 はそれぞれ４次、６次、８次の、１０次の非球面係数である。
【００４６】
実施例１
ｒ1 =    79.245             ｄ1 =  0.80     ｎd1 =2.00069 νd1 =25.46 
ｒ2 =    10.737             ｄ2 =  1.85     
ｒ3 =     ∞                ｄ3 =  8.40     ｎd2 =2.00330 νd2 =28.27 
ｒ4 =     ∞                ｄ4 =  0.30     
ｒ5 =    15.402 （非球面）  ｄ5 =  2.67     ｎd3 =1.76802 νd3 =49.24 
ｒ6 =   -22.552 （非球面）  ｄ6 = （可変）  
ｒ7 =    40.183             ｄ7 =  0.50     ｎd4 =1.88300 νd4 =40.76 
ｒ8 =     7.191             ｄ8 =  1.07     
ｒ9 =   -14.386             ｄ9 =  0.45     ｎd5 =1.88300 νd5 =40.76 
ｒ10=     8.265             ｄ10=  1.15     ｎd6 =1.92286 νd6 =20.88 
ｒ11= -8422.538             ｄ11= （可変）  
ｒ12=     9.608 （非球面）  ｄ12=  1.54     ｎd7 =1.62299 νd7 =58.12 
ｒ13=   -38.385 （非球面）  ｄ13=  1.00     
ｒ14=     ∞（絞り）        ｄ14= （可変）  
ｒ15=     8.672 （非球面）  ｄ15=  2.61     ｎd8 =1.62299 νd8 =58.12 
ｒ16=    -6.739             ｄ16=  0.54     ｎd9 =1.92286 νd9 =20.88 
ｒ17=   -11.899             ｄ17= （可変）  
ｒ18=   -44.226             ｄ18=  0.50     ｎd10=2.00330 νd10=28.27 
ｒ19=     4.235             ｄ19=  2.37     ｎd11=1.51633 νd11=64.14 
ｒ20=     9.498             ｄ20=  0.94     
ｒ21=    10.761             ｄ21=  1.80     ｎd12=1.84666 νd12=23.78 
ｒ22=  -602.041             ｄ22=  3.88     
ｒ23=     ∞                ｄ23=  0.50     ｎd13=1.51680 νd13=64.20 
ｒ24=     ∞                ｄ24=  0.50     
ｒ25=     ∞                ｄ25=  0.50     ｎd14=1.51680 νd14=64.20 
ｒ26=     ∞                ｄ26=  0.37     
ｒ27=     ∞（像面）        
非球面係数
第５面
Ｋ  =  0.000
Ａ4 = -8.79913×10-5
Ａ6 =  4.89886×10-7
Ａ8 = -3.64842×10-8
Ａ10=  2.72077×10-10 
第６面
Ｋ  =  0.000
Ａ4 = -3.45410×10-5
Ａ6 =  6.14987×10-7
Ａ8 = -4.14321×10-8
Ａ10=  4.54264×10-10 
第１２面
Ｋ  =  0.000
Ａ4 = -3.66208×10-4
Ａ6 = -5.90379×10-5
Ａ8 =  9.30717×10-6
Ａ10= -5.73359×10-7
第１３面
Ｋ  =  0.000
Ａ4 = -1.89671×10-4
Ａ6 = -5.64567×10-5
Ａ8 =  9.30033×10-6
Ａ10= -5.93075×10-7
第１５面
Ｋ  =  0.000
Ａ4 = -3.48870×10-4
Ａ6 = -1.61544×10-5
Ａ8 =  2.48258×10-6
Ａ10= -1.23458×10-7
ズームデータ（∞）
ＷＥ            ＳＴ            ＴＥ
ｆ (mm)             5.07            9.40           17.40
ＦNO                3.60            4.30            5.10
２ω（°）         80.86           44.35           24.24
ｄ6                 0.60            6.76           10.79
ｄ11               10.69            4.54            0.50
ｄ14                6.20            4.32            2.05
ｄ17                1.51            3.39            5.66                    。
【００４７】
実施例２
ｒ1 =  -153.902             ｄ1 =  0.80     ｎd1 =2.00170 νd1 =20.60 
ｒ2 =    12.979 （非球面）  ｄ2 =  1.91     
ｒ3 =     ∞                ｄ3 =  8.50     ｎd2 =1.90366 νd2 =31.31 
ｒ4 =     ∞                ｄ4 =  0.30     
ｒ5 =    10.604 （非球面）  ｄ5 =  2.58     ｎd3 =1.80139 νd3 =45.45 
ｒ6 =   -74.045 （非球面）  ｄ6 = （可変）  
ｒ7 =   180.770             ｄ7 =  0.50     ｎd4 =1.88300 νd4 =40.76 
ｒ8 =     7.336             ｄ8 =  1.28     
ｒ9 =   -14.370             ｄ9 =  0.45     ｎd5 =1.88300 νd5 =40.76 
ｒ10=     8.729             ｄ10=  1.15     ｎd6 =1.92286 νd6 =20.88 
ｒ11=   -62.471             ｄ11= （可変）  
ｒ12=     8.946 （非球面）  ｄ12=  1.54     ｎd7 =1.67790 νd7 =55.34 
ｒ13=  -116.820 （非球面）  ｄ13=  1.00     
ｒ14=     ∞（絞り）        ｄ14= （可変）  
ｒ15=     9.447 （非球面）  ｄ15=  2.58     ｎd8 =1.62299 νd8 =58.12 
ｒ16=    -6.914             ｄ16=  0.54     ｎd9 =1.92286 νd9 =20.88 
ｒ17=   -12.280             ｄ17= （可変）  
ｒ18=   -20.311             ｄ18=  0.50     ｎd10=2.00330 νd10=28.27 
ｒ19=     5.042             ｄ19=  3.10     ｎd11=1.51633 νd11=64.14 
ｒ20=   -23.168             ｄ20=  0.90     
ｒ21=    11.413             ｄ21=  1.80     ｎd12=1.84666 νd12=23.78 
ｒ22=    14.325             ｄ22=  3.32     
ｒ23=     ∞                ｄ23=  0.50     ｎd13=1.51680 νd13=64.20 
ｒ24=     ∞                ｄ24=  0.50     
ｒ25=     ∞                ｄ25=  0.50     ｎd14=1.51680 νd14=64.20 
ｒ26=     ∞                ｄ26=  0.37     
ｒ27=     ∞（像面）        
非球面係数
第２面
Ｋ  =  0.000
Ａ4 = -1.79166×10-4
Ａ6 = -4.73057×10-9
Ａ8 = -2.98332×10-9
Ａ10=  0
第５面
Ｋ  =  0.000
Ａ4 = -1.23552×10-4
Ａ6 = -1.59616×10-7
Ａ8 = -7.97986×10-9
Ａ10= -3.77581×10-11 
第６面
Ｋ  =  0.000
Ａ4 =  5.80825×10-5
Ａ6 =  3.64807×10-8
Ａ8 = -1.36016×10-8
Ａ10=  1.80629×10-10 
第１２面
Ｋ  =  0.000
Ａ4 = -1.30705×10-4
Ａ6 = -1.84239×10-5
Ａ8 =  5.36309×10-6
Ａ10= -3.20137×10-7
第１３面
Ｋ  =  0.000
Ａ4 =  8.59092×10-5
Ａ6 = -2.59294×10-5
Ａ8 =  7.40107×10-6
Ａ10= -4.60471×10-7
第１５面
Ｋ  =  0.000
Ａ4 = -3.73446×10-4
Ａ6 =  1.40361×10-5
Ａ8 = -2.39746×10-6
Ａ10=  1.26173×10-7
ズームデータ（∞）
ＷＥ            ＳＴ            ＴＥ
ｆ (mm)             5.07            9.40           17.40
ＦNO                3.50            4.20            4.90
２ω（°）         80.25           43.90           24.24
ｄ6                 0.60            6.55           10.64
ｄ11               10.55            4.60            0.50
ｄ14                5.97            4.13            2.05
ｄ17                1.51            3.36            5.44                    。
【００４８】
実施例３
ｒ1 =    94.193             ｄ1 =  0.80     ｎd1 =2.00069 νd1 =25.46 
ｒ2 =    10.777             ｄ2 =  1.90     
ｒ3 =     ∞                ｄ3 =  8.40     ｎd2 =2.00330 νd2 =28.27 
ｒ4 =     ∞                ｄ4 =  0.30     
ｒ5 =    15.253 （非球面）  ｄ5 =  2.67     ｎd3 =1.76802 νd3 =49.24 
ｒ6 =   -22.635 （非球面）  ｄ6 = （可変）  
ｒ7 =    30.598             ｄ7 =  0.50     ｎd4 =1.88300 νd4 =40.76 
ｒ8 =     7.008             ｄ8 =  1.08     
ｒ9 =   -14.944             ｄ9 =  0.45     ｎd5 =1.88300 νd5 =40.76 
ｒ10=     7.893             ｄ10=  1.12     ｎd6 =1.92286 νd6 =20.88 
ｒ11=   162.059             ｄ11= （可変）  
ｒ12=     9.600 （非球面）  ｄ12=  1.54     ｎd7 =1.62299 νd7 =58.12 
ｒ13=   -37.829 （非球面）  ｄ13=  1.00     
ｒ14=     ∞（絞り）        ｄ14= （可変）  
ｒ15=     8.474 （非球面）  ｄ15=  2.66     ｎd8 =1.62299 νd8 =58.12 
ｒ16=    -6.619             ｄ16=  0.54     ｎd9 =1.92286 νd9 =20.88 
ｒ17=   -11.728             ｄ17= （可変）  
ｒ18=   -29.689             ｄ18=  0.50     ｎd10=2.00330 νd10=28.27 
ｒ19=     4.379             ｄ19=  2.19     ｎd11=1.51633 νd11=64.14 
ｒ20=    10.038             ｄ20=  0.97     
ｒ21=    12.327             ｄ21=  1.80     ｎd12=1.84666 νd12=23.78 
ｒ22=   -68.566             ｄ22=  4.01     
ｒ23=     ∞                ｄ23=  0.50     ｎd13=1.51680 νd13=64.20 
ｒ24=     ∞                ｄ24=  0.50     
ｒ25=     ∞                ｄ25=  0.50     ｎd14=1.51680 νd14=64.20 
ｒ26=     ∞                ｄ26=  0.37     
ｒ27=     ∞（像面）        
非球面係数
第５面
Ｋ  =  0.000
Ａ4 = -9.87397×10-5
Ａ6 =  1.15328×10-6
Ａ8 = -5.49135×10-8
Ａ10=  6.09563×10-10 
第６面
Ｋ  =  0.000
Ａ4 = -4.24242×10-5
Ａ6 =  1.40352×10-6
Ａ8 = -6.50420×10-8
Ａ10=  8.57412×10-10 
第１２面
Ｋ  =  0.000
Ａ4 = -4.72028×10-4
Ａ6 = -8.04768×10-5
Ａ8 =  1.12791×10-5
Ａ10= -7.31468×10-7
第１３面
Ｋ  =  0.000
Ａ4 = -3.51794×10-4
Ａ6 = -6.56639×10-5
Ａ8 =  9.41874×10-6
Ａ10= -6.46097×10-7
第１５面
Ｋ  =  0.000
Ａ4 = -3.87575×10-4
Ａ6 = -1.62934×10-5
Ａ8 =  2.60691×10-6
Ａ10= -1.30886×10-7
ズームデータ（∞）
ＷＥ            ＳＴ            ＴＥ
ｆ (mm)             5.07            9.40           17.40
ＦNO                3.60            4.30            5.10
２ω（°）         80.88           44.45           24.24
ｄ6                 0.60            6.76           10.79
ｄ11               10.69            4.53            0.50
ｄ14                6.15            4.30            2.05
ｄ17                1.51            3.36            5.61                    。
【００４９】
実施例４
ｒ1 =    61.265             ｄ1 =  0.80     ｎd1 =2.00069 νd1 =25.46 
ｒ2 =    10.388             ｄ2 =  1.94     
ｒ3 =     ∞                ｄ3 =  8.40     ｎd2 =1.90366 νd2 =31.31 
ｒ4 =     ∞                ｄ4 =  0.30     
ｒ5 =    16.191 （非球面）  ｄ5 =  2.55     ｎd3 =1.82080 νd3 =42.71 
ｒ6 =   -23.992 （非球面）  ｄ6 = （可変）  
ｒ7 =    75.700             ｄ7 =  0.50     ｎd4 =1.88300 νd4 =40.76 
ｒ8 =     7.487             ｄ8 =  1.13     
ｒ9 =   -18.197             ｄ9 =  0.45     ｎd5 =1.88300 νd5 =40.76 
ｒ10=     6.886             ｄ10=  1.22     ｎd6 =1.92286 νd6 =20.88 
ｒ11=    76.975             ｄ11= （可変）  
ｒ12=     9.531 （非球面）  ｄ12=  1.53     ｎd7 =1.67790 νd7 =55.34 
ｒ13=   -55.362 （非球面）  ｄ13=  1.00     
ｒ14=     ∞（絞り）        ｄ14= （可変）  
ｒ15=     8.917 （非球面）  ｄ15=  2.75     ｎd8 =1.62299 νd8 =58.12 
ｒ16=    -6.211             ｄ16=  0.54     ｎd9 =1.92286 νd9 =20.88 
ｒ17=   -11.293             ｄ17= （可変）  
ｒ18=   -22.013             ｄ18=  0.50     ｎd10=2.00330 νd10=28.27 
ｒ19=     4.213             ｄ19=  2.98     ｎd11=1.64000 νd11=60.08 
ｒ20=    11.057             ｄ20=  0.90     
ｒ21=    12.761             ｄ21=  1.88     ｎd12=1.84666 νd12=23.78 
ｒ22=   -47.501             ｄ22=  3.51     
ｒ23=     ∞                ｄ23=  0.50     ｎd13=1.51680 νd13=64.20 
ｒ24=     ∞                ｄ24=  0.50     
ｒ25=     ∞                ｄ25=  0.50     ｎd14=1.51680 νd14=64.20 
ｒ26=     ∞                ｄ26=  0.37     
ｒ27=     ∞（像面）        
非球面係数
第５面
Ｋ  =  0.000
Ａ4 = -8.96007×10-5
Ａ6 =  9.20191×10-8
Ａ8 = -9.46895×10-9
Ａ10= -3.43126×10-10 
第６面
Ｋ  =  0.000
Ａ4 = -4.66055×10-5
Ａ6 =  3.45368×10-7
Ａ8 = -2.10437×10-8
Ａ10= -4.70110×10-11 
第１２面
Ｋ  =  0.000
Ａ4 = -2.50803×10-4
Ａ6 = -3.40928×10-5
Ａ8 =  6.25715×10-6
Ａ10= -4.27674×10-7
第１３面
Ｋ  =  0.000
Ａ4 = -1.00039×10-4
Ａ6 = -2.55299×10-5
Ａ8 =  5.64606×10-6
Ａ10= -4.33993×10-7
第１５面
Ｋ  =  0.000
Ａ4 = -3.48071×10-4
Ａ6 = -4.87510×10-6
Ａ8 =  1.54082×10-6
Ａ10= -9.89010×10-8
ズームデータ（∞）
ＷＥ            ＳＴ            ＴＥ
ｆ (mm)             5.07            9.40           17.40
ＦNO                3.60            4.30            5.00
２ω（°）         80.56           44.31           24.24
ｄ6                 0.60            6.46           10.32
ｄ11               10.22            4.36            0.50
ｄ14                6.32            4.36            2.05
ｄ17                1.51            3.48            5.78                    。
【００５０】
実施例５
ｒ1 =   235.816             ｄ1 =  0.80     ｎd1 =2.00069 νd1 =25.46 
ｒ2 =    11.909 （非球面）  ｄ2 =  0.10     ｎd2 =1.63494 νd2 =23.22 
ｒ3 =    11.778             ｄ3 =  1.84     
ｒ4 =     ∞                ｄ4 =  8.40     ｎd3 =1.90366 νd3 =31.31 
ｒ5 =     ∞                ｄ5 =  0.30     
ｒ6 =    13.202 （非球面）  ｄ6 =  2.61     ｎd4 =1.80139 νd4 =45.45 
ｒ7 =   -31.571 （非球面）  ｄ7 = （可変）  
ｒ8 =   262.366             ｄ8 =  0.50     ｎd5 =1.88300 νd5 =40.76 
ｒ9 =     7.420             ｄ9 =  1.20     
ｒ10=   -14.068             ｄ10=  0.45     ｎd6 =1.88300 νd6 =40.76 
ｒ11=     8.001             ｄ11=  1.25     ｎd7 =1.92286 νd7 =20.88 
ｒ12=   -83.756             ｄ12= （可変）  
ｒ13=     9.090 （非球面）  ｄ13=  1.55     ｎd8 =1.67790 νd8 =55.34 
ｒ14=   -82.610 （非球面）  ｄ14=  1.00     
ｒ15=     ∞（絞り）        ｄ15= （可変）  
ｒ16=     9.328 （非球面）  ｄ16=  2.65     ｎd9 =1.62299 νd9 =58.12 
ｒ17=    -6.373             ｄ17=  0.54     ｎd10=1.92286 νd10=20.88 
ｒ18=   -11.361             ｄ18= （可変）  
ｒ19=   -26.951             ｄ19=  0.50     ｎd11=2.00330 νd11=28.27 
ｒ20=     4.534             ｄ20=  3.37     ｎd12=1.51633 νd12=64.14 
ｒ21=   237.231             ｄ21=  0.93     
ｒ22=    12.843             ｄ22=  1.79     ｎd13=1.84666 νd13=23.78 
ｒ23=    31.743             ｄ23=  3.19     
ｒ24=     ∞                ｄ24=  0.50     ｎd14=1.51680 νd14=64.20 
ｒ25=     ∞                ｄ25=  0.50     
ｒ26=     ∞                ｄ26=  0.50     ｎd15=1.51680 νd15=64.20 
ｒ27=     ∞                ｄ27=  0.37     
ｒ28=     ∞（像面）        
非球面係数
第２面
Ｋ  =  0.000
Ａ4 = -1.23512×10-4
Ａ6 = -4.41841×10-6
Ａ8 =  3.03797×10-8
Ａ10=  0
第６面
Ｋ  =  0.000
Ａ4 = -1.72818×10-5
Ａ6 = -2.60801×10-6
Ａ8 =  5.02193×10-8
Ａ10= -9.33953×10-10 
第７面
Ｋ  =  0.000
Ａ4 =  7.80624×10-5
Ａ6 = -2.76628×10-6
Ａ8 =  5.81944×10-8
Ａ10= -9.20345×10-10 
第１３面
Ｋ  =  0.000
Ａ4 = -9.93670×10-5
Ａ6 = -7.03744×10-5
Ａ8 =  1.45518×10-5
Ａ10= -8.56945×10-7
第１４面
Ｋ  =  0.000
Ａ4 =  1.29919×10-4
Ａ6 = -8.37340×10-5
Ａ8 =  1.79486×10-5
Ａ10= -1.09991×10-6
第１６面
Ｋ  =  0.000
Ａ4 = -3.02414×10-4
Ａ6 = -2.41845×10-5
Ａ8 =  3.70554×10-6
Ａ10= -1.83040×10-7
ズームデータ（∞）
ＷＥ            ＳＴ            ＴＥ
ｆ (mm)             5.07            9.40           17.40
ＦNO                3.60            4.20            5.00
２ω（°）         80.07           43.89           24.24
ｄ7                 0.60            6.48           10.46
ｄ12               10.36            4.48            0.50
ｄ15                6.08            4.20            2.05
ｄ18                1.51            3.39            5.55                    。
【００５１】
以上の実施例１〜５の無限遠物点合焦時の収差図をそれぞれ図６〜図１０に示す。これらの収差図において、（ａ）は広角端、（ｂ）は中間状態、（ｃ）は望遠端における球面収差（ＳＡ）、非点収差（ＡＳ）、歪曲収差（ＤＴ）、倍率色収差（ＣＣ）を示す。各図中、“ＦＩＹ”は半画角（°）を示す。
【００５２】
次に、上記各実施例における条件式（１）〜（４）の値を示す。
【００５３】
条件式      （１）  （２）  （３）  （４）
実施例１     2.08    1.21    4.18    2.44 
実施例２     2.03    1.22    3.9     2.35 
実施例３     2.14    1.22    4.25    2.41 
実施例４     2.39    1.17    3.96    2.48 
実施例５     2.14    1.18    3.9     2.47                                 。
【００５４】
さて、以上のような本発明のズームレンズは、ズームレンズの結像光学系で物体像を形成しその像をＣＣＤや銀塩フィルムといった撮像素子に受光させて撮影を行う撮影装置に用いることができる。上記撮影装置は、具体的な製品としては、例えば、デジタルカメラ、カメラが組み込まれた、パソコン、携帯電話やＰＤＡ（Personal Digital Assistant）等のデジタル端末機器として広く適用することができる。以下に、その実施形態を例示する。
【００５５】
図１１〜図１３は、本発明によるズームレンズをデジタルカメラの撮影光学系４１に組み込んだ構成の概念図を示す。図１１はデジタルカメラ４０の外観を示す前方斜視図、図１２は同後方斜視図、図１３はデジタルカメラ４０の構成を示す断面図である。デジタルカメラ４０は、この例の場合、撮影用光路４２を有する撮影光学系４１、ファインダー用光路４４を有するファインダー光学系４３、シャッター４５、フラッシュ４６、液晶表示モニター４７等を含み、カメラ４０の上部に配置されたシャッター４５を押圧すると、それに連動して撮影光学系４１、例えば実施例１のズームレンズを通して撮影が行われる。撮影光学系４１によって形成された物体像が、近赤外カットフィルターと光学的ローパスフィルターＦを介してＣＣＤやＣＭＯＳ等の撮像素子４９の撮像面上に形成される。このＣＣＤやＣＭＯＳ等の撮像素子４９で受光された物体像は、処理手段（例えばＣＰＵ）５１を介し、電子画像としてカメラ背面に設けられた液晶表示モニター（ＬＣＤ）４７に表示される。また、この処理手段５１には記録手段（例えば、メモリ）５２が接続され、撮影された電子画像を記録することもできる。なお、この記録手段５２は処理手段５１と別体に設けてもよいし、フロッピー（登録商標）ディスクやメモリーカード、ＭＯ、ＤＶＤ±ＲＷ等により電子的に記録書き込みを行うように構成してもよい。また、ＣＣＤ等４９に代わって銀塩フィルムを配置した銀塩カメラとして構成してもよい。
【００５６】
さらに、ファインダー用光路４４上にはファインダー用対物光学系５３が配置してある。このファインダー用対物光学系５３によって形成された物体像は、像正立部材であるポロプリズム５５の視野枠５７上に形成される。このポリプリズム５５の後方には、正立正像にされた像を観察者眼球Ｅに導く接眼光学系５９が配置されている。なお、撮影光学系４１及びファインダー用対物光学系５３の入射側、接眼光学系５９の射出側にそれぞれカバー部材５０が配置されている。
【００５７】
図１４に上記デジタルカメラ４０の主要部の内部構成の概略ブロック図を示す。なお、シャッター４５に代表される操作部は符号５００で示されており、処理手段はＣＰＵ５１で、撮像素子はＣＣＤ４９で構成されているものとし、記録手段はメモリーカード５２１と外部記憶装置（光ディスクやＨＤＤ等）５２２とで構成されているものとしている。ＣＰＵ５１が操作部５００のシャッター４５が押圧されたと判断すると、露光制御による最適シャッター制御値や絞り制御の演算を行い、その演算後にこれら制御値に基づいてシャッター及び絞り制御を行う。その他の制御動作は上記の通りである。
【００５８】
このように構成されたデジタルカメラ４０は、撮影光学系４１が高変倍比で収差が良好であり、明るく、小型であるので、カメラ全体の小型化、薄型化を図れる。
【００５９】
なお、図１３の例では、カバー部材５０として平行平面板を配置しているが、パワーを持ったレンズを用いてもよい。
【図面の簡単な説明】
【００６０】
【図１】本発明のズームレンズの実施例１の無限遠物点合焦時の広角端（ａ）、中間状態（ｂ）、望遠端（ｃ）での光学展開図である。
【図２】本発明のズームレンズの実施例２の図１と同様の光学展開図である。
【図３】本発明のズームレンズの実施例３の図１と同様の光学展開図である。
【図４】本発明のズームレンズの実施例４の図１と同様の光学展開図である。
【図５】本発明のズームレンズの実施例５の図１と同様の光学展開図である。
【図６】実施例１の無限遠物点合焦時の広角端（ａ）、中間状態（ｂ）、望遠端（ｃ）での収差図である。
【図７】実施例２の図６と同様の収差図である。
【図８】実施例３の図６と同様の収差図である。
【図９】実施例４の図６と同様の収差図である。
【図１０】実施例５の図６と同様の収差図である。
【図１１】本発明によるズームレンズを組み込んだデジタルカメラの外観を示す前方斜視図である。
【図１２】図１１のデジタルカメラの後方斜視図である。
【図１３】図１１のデジタルカメラの構成を示す断面図である。
【図１４】図１１のデジタルカメラの主要部の内部構成の概略ブロック図である。
【符号の説明】
【００６１】
Ｇ１…第１レンズ群
Ｇ２…第２レンズ群
Ｇ３…第３レンズ群
Ｇ４…第４レンズ群
Ｇ５…第５レンズ群
Ｐ…プリズム
Ｓ…開口絞り
Ｆ…光学的ローパスフィルター
Ｃ…カバーガラス
Ｉ…像面
Ｅ…観察者眼球
４０…デジタルカメラ
４１…撮影光学系
４２…撮影用光路
４３…ファインダー光学系
４４…ファインダー用光路
４５…シャッター
４６…フラッシュ
４７…液晶表示モニター（ＬＣＤ）
４９…撮像素子（ＣＣＤ、ＣＭＯＳ）
５０…カバー部材
５１…処理手段（ＣＰＵ）
５２…記録手段（メモリ）
５３…ファインダー用対物光学系
５５…ポロプリズム
５７…視野枠
５９…接眼光学系
５００…操作部
５２１…メモリーカード
５２２…外部記憶装置（光ディスク、ＨＤＤ）
【図１】
2008083125.tif 000003
【図２】
2008083125.tif 000004
【図３】
2008083125.tif 000005
【図４】
2008083125.tif 000006
【図５】
2008083125.tif 000007
【図６】
2008083125.tif 000008
【図７】
2008083125.tif 000009
【図８】
2008083125.tif 000010
【図９】
2008083125.tif 000011
【図１０】
2008083125.tif 000012
【図１１】
2008083125.tif 000013
【図１２】
2008083125.tif 000014
【図１３】
2008083125.tif 000015
【図１４】
2008083125.tif 000016